(57)【要約】【課題】装置の設定状態のアンドゥが可能であり、波形データのキャプチャ時又は解析処理時の装置の設定状態を容易に再現することが可能な信号分析装置及び信号分析方法を提供する。【解決手段】操作入力を行うための操作部４０と、被測定信号Ｓの波形データを生成する信号処理部１０と、操作部４０により設定されたパラメータの設定値に基づいて、波形データに対して所定の解析処理を行う解析部２２と、波形データ、波形データに対する解析処理の結果、及び、操作部４０により設定されたパラメータの設定値を記憶する記憶部２１と、パラメータの設定値の履歴、波形データの生成開始の履歴、及び、波形データの解析処理完了の履歴を、操作部４０により選択可能に表示部３０に一覧表示させる表示制御部２４と、操作部４０により選択された履歴に応じて、測定装置１の設定状態を戻すアンドゥ処理部２５と、を備える。【選択図】図１
2018004482.tif 000002
【特許請求の範囲】
【請求項１】
被試験対象（１００）から出力される被測定信号（Ｓ）に対して解析処理を行う信号分析装置（１）であって、
操作入力を行うための操作部（４０）と、
前記被測定信号の波形データを生成する信号処理部（１０）と、
前記操作部により設定されたパラメータの設定値に基づいて、前記波形データに対して所定の解析処理を行う解析部（２２）と、
前記波形データと、前記解析部による前記波形データに対する解析処理の結果と、前記操作部により設定されたパラメータの設定値とを記憶する記憶部（２１）と、
前記パラメータの設定値の履歴、前記信号処理部による前記波形データの生成開始の履歴、及び、前記解析部による前記波形データの解析処理完了の履歴を、前記操作部により選択可能に表示部（３０）に一覧表示させる表示制御部（２４）と、
前記操作部により選択された履歴に応じて、前記操作部により前記パラメータの設定値が設定された状態、前記信号処理部により前記波形データの生成が開始される状態、及び、前記解析部により前記波形データの解析処理が完了した状態のいずれかの状態に前記信号分析装置の設定状態を戻すアンドゥ処理部（２５）と、を備え、
前記表示制御部は、前記操作部により選択された履歴に応じて、前記記憶部に記憶されている前記波形データ及び前記解析結果を前記表示部に表示させることを特徴とする信号分析装置。
【請求項２】
前記アンドゥ処理部により戻された設定状態の履歴よりも新しい履歴が前記操作部により選択された場合に、前記新しい履歴の状態に前記信号分析装置の設定状態を復元するリドゥ処理部（２６）を更に備えることを特徴とする請求項１に記載の信号分析装置。
【請求項３】
前記信号処理部は、前記被測定信号の周波数帯域幅よりも広い周波数帯域幅で前記波形データを生成することを特徴とする請求項１又は請求項２に記載の信号分析装置。
【請求項４】
請求項１から請求項３のいずれか１項に記載の信号分析装置を用いる信号分析方法であって、
被試験対象（１００）から出力される被測定信号（Ｓ）の波形データを生成する信号処理ステップ（Ｓ３）と、
操作入力を行うための操作部により設定されたパラメータの設定値に基づいて、前記波形データに対して所定の解析処理を行う解析ステップ（Ｓ５）と、
前記波形データと、前記解析ステップによる前記波形データに対する解析処理の結果と、前記操作部により設定されたパラメータの設定値とを記憶する記憶ステップ（Ｓ２，Ｓ３，Ｓ５）と、
前記パラメータの設定値の履歴、前記信号処理ステップによる前記波形データの生成開始の履歴、及び、前記解析ステップによる前記波形データの解析処理完了の履歴を、前記操作部により選択可能に表示部（３０）に一覧表示させる表示制御ステップ（Ｓ２，Ｓ４，Ｓ６）と、
前記操作部により選択された履歴に応じて、前記操作部により前記パラメータの設定値が設定された状態、前記信号処理ステップにより前記波形データの生成が開始される状態、及び、前記解析ステップにより前記波形データの解析処理が完了した状態のいずれかの状態に前記信号分析装置の設定状態を戻すアンドゥ処理ステップ（Ｓ９）と、を含み、
前記表示制御ステップは、前記操作部により選択された履歴に応じて、前記記憶ステップで記憶された前記波形データ及び前記解析処理の結果を前記表示部に表示させる（Ｓ１１）ことを特徴とする信号分析方法。
【発明の詳細な説明】
【技術分野】
【０００１】
本発明は、信号分析装置及び信号分析方法に関し、特に、スペクトラムアナライザなどの信号分析装置及び信号分析方法に関する。
【背景技術】
【０００２】
近年、マルチメディア通信の普及や利用者数の増加、更には通信技術の発達に伴い、セルラ、無線ＬＡＮ等の無線通信用のアンテナが実装された無線端末（携帯電話等）が盛んに生産されるようになっている。無線端末の製造工場においては、無線端末が備えている無線通信アンテナに対して、通信規格ごとに定められた送信電波の出力レベルや受信感度を測定し、所定の基準を満たすか否かを判定する性能試験が行われる。
【０００３】
このような性能試験を行う信号分析装置として、被試験対象（Device Under Test：ＤＵＴ）から出力される信号（以下、「被測定信号」という）の波形をキャプチャして得られる波形データに対して解析処理を行うものが既に提案されている。
【０００４】
しかしながら、従来の信号分析装置は、被測定信号の解析時には「波形キャプチャ」と「解析処理」を繰り返すが、毎回波形キャプチャした波形データ及び解析結果を表示装置に表示した後に破棄していた。そのため、測定中に発生頻度の低い現象が一瞬観測された場合でも、次の瞬間には波形データ及び解析結果が上書きされてしまい確認ができなくなる。したがって、発生頻度が低い現象を再度観測したい場合、波形データを記録するモードに信号分析装置を切り替えて、現象が再度発生するまで長時間待つ必要があった。
【０００５】
これに対して、過去の任意の時間における被測定信号について、過去の解析結果を読み出したり、再度解析を行ったり、解析条件を変更して新たな解析を行ったりすることが可能な信号分析装置が提案されている（例えば、特許文献１参照）。
【０００６】
特許文献１に開示された従来の信号分析装置には、解析用のソフトウェアが各種インストールされており、これらのソフトウェアが被測定信号からＤＵＴの通信規格に応じた必要な周波数帯域分の波形キャプチャを行っている。
【先行技術文献】
【特許文献】
【０００７】
【特許文献１】特開２０１５−９９１２８号公報
【発明の概要】
【発明が解決しようとする課題】
【０００８】
しかしながら、特許文献１に開示された従来の信号分析装置は、解析条件を指定するパラメータの設定値などの設定状態を記録していないため、装置の設定状態をアンドゥすることができなかった。また、それゆえに、過去の波形データの波形キャプチャ（生成）時や解析処理時の設定状態を再現するためには、設定状態を記録する手段を別途用意するなどの手間が掛かっていた。
【０００９】
本発明は、このような従来の課題を解決するためになされたものであって、装置の設定状態のアンドゥが可能であり、波形データの生成時又は解析処理時の装置の設定状態を容易に再現することが可能な信号分析装置及び信号分析方法を提供することを目的とする。
【課題を解決するための手段】
【００１０】
上記課題を解決するために、本発明の請求項１の信号分析装置は、被試験対象から出力される被測定信号に対して解析処理を行う信号分析装置であって、操作入力を行うための操作部と、前記被測定信号の波形データを生成する信号処理部と、前記操作部により設定されたパラメータの設定値に基づいて、前記波形データに対して所定の解析処理を行う解析部と、前記波形データと、前記解析部による前記波形データに対する解析処理の結果と、前記操作部により設定されたパラメータの設定値とを記憶する記憶部と、前記パラメータの設定値の履歴、前記信号処理部による前記波形データの生成開始の履歴、及び、前記解析部による前記波形データの解析処理完了の履歴を、前記操作部により選択可能に表示部に一覧表示させる表示制御部と、前記操作部により選択された履歴に応じて、前記操作部により前記パラメータの設定値が設定された状態、前記信号処理部により前記波形データの生成が開始される状態、及び、前記解析部により前記波形データの解析処理が完了した状態のいずれかの状態に前記信号分析装置の設定状態を戻すアンドゥ処理部と、を備え、前記表示制御部は、前記操作部により選択された履歴に応じて、前記記憶部に記憶されている前記波形データ及び前記解析結果を前記表示部に表示させる構成である。
【００１１】
この構成により、装置の設定状態のアンドゥが可能であり、波形データの生成時又は解析処理時の装置の設定状態を容易に再現することができる。このため、過去の波形データ生成時の設定で再度測定を行って得られた波形データ及び解析結果と、過去に生成した波形データ及び解析結果との比較を行うことができる。
【００１２】
また、本発明の請求項２の信号分析装置は、前記アンドゥ処理部により戻された設定状態の履歴よりも新しい履歴が前記操作部により選択された場合に、前記新しい履歴の状態に前記信号分析装置の設定状態を復元するリドゥ処理部を更に備える構成であってもよい。
【００１３】
また、本発明の請求項３の信号分析装置においては、前記信号処理部は、前記被測定信号の周波数帯域幅よりも広い周波数帯域幅で前記波形データを生成する構成である。
【００１４】
この構成により、ある通信規格の被測定信号の波形データに対して、当該通信規格の周波数帯域に隣接した周波数帯域についても解析を行うことができる。
【００１５】
また、本発明の請求項４の信号分析方法は、上記のいずれかの信号分析装置を用いる信号分析方法であって、被試験対象から出力される被測定信号の波形データを生成する信号処理ステップと、操作入力を行うための操作部により設定されたパラメータの設定値に基づいて、前記波形データに対して所定の解析処理を行う解析ステップと、前記波形データと、前記解析ステップによる前記波形データに対する解析処理の結果と、前記操作部により設定されたパラメータの設定値とを記憶する記憶ステップと、前記パラメータの設定値の履歴、前記信号処理ステップによる前記波形データの生成開始の履歴、及び、前記解析ステップによる前記波形データの解析処理完了の履歴を、前記操作部により選択可能に表示部に一覧表示させる表示制御ステップと、前記操作部により選択された履歴に応じて、前記操作部により前記パラメータの設定値が設定された状態、前記信号処理ステップにより前記波形データの生成が開始される状態、及び、前記解析ステップにより前記波形データの解析処理が完了した状態のいずれかの状態に前記信号分析装置の設定状態を戻すアンドゥ処理ステップと、を含み、前記表示制御ステップは、前記操作部により選択された履歴に応じて、前記記憶ステップで記憶された前記波形データ及び前記解析処理の結果を前記表示部に表示させる構成である。
【００１６】
この構成により、装置の設定状態のアンドゥが可能であり、波形データの生成時又は解析処理時の装置の設定状態を容易に再現することができる。このため、過去の波形データ生成時の設定で再度測定を行って得られた波形データ及び解析結果と、過去に生成した波形データ及び解析結果との比較を行うことができる。
【発明の効果】
【００１７】
本発明は、装置の設定状態のアンドゥが可能であり、波形データの生成時又は解析処理時の装置の設定状態を容易に再現することが可能な信号分析装置及び信号分析方法を提供するものである。
【図面の簡単な説明】
【００１８】
【図１】本発明の一実施形態に係る信号分析装置の構成を示すブロック図である。
【図２】本発明の一実施形態に係る信号分析装置の表示部の表示例を示す図である。
【図３】本発明の一実施形態に係る信号分析装置のアンドゥ処理部の動作を説明する図（その１）である。
【図４】本発明の一実施形態に係る信号分析装置のアンドゥ処理部の動作を説明する図（その２）である。
【図５】本発明の一実施形態に係る信号分析装置のアンドゥ処理部の動作を説明する図（その３）である。
【図６】本発明の一実施形態に係る信号分析装置のリドゥ処理部の動作を説明する図である。
【図７】本発明の一実施形態に係る信号分析装置による信号分析方法の処理を示すフローチャートである。
【発明を実施するための形態】
【００１９】
以下、本発明に係る信号分析装置及び信号分析方法の実施形態について、図面を用いて説明する。
【００２０】
図１に示すように、本発明の実施形態に係る信号分析装置１は、ＤＵＴから出力される被測定信号に対して解析処理を行う信号分析装置であって、信号処理部１０と、制御部２０と、表示部３０と、操作部４０とを備える。
【００２１】
信号処理部１０は、ＤＵＴ１００の被測定信号Ｓを受信し、被測定信号Ｓの波形データを生成（キャプチャ）するようになっている。ＤＵＴ１００は、例えば、携帯電話などの無線端末機器、あるいは基地局装置である。
【００２２】
ここで、ＤＵＴ１００が対応する通信規格としては、例えば、セルラ（ＬＴＥ、ＬＴＥ−Ａ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、無線ＬＡＮ（ＩＥＥＥ８０２．１１ｂ／ｇ／ａ／ｎ／ａｃ／ａｄ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００２３】
信号処理部１０は、例えば、アッテネータ（ＡＴＴ）１１と、局部発振器１２と、ミキサ１３と、バンドパスフィルタ（ＢＰＦ）１４と、アナログディジタルコンバータ（ＡＤＣ）１５と、を備えている。
【００２４】
ＡＴＴ１１は、内部に抵抗を有し、高周波の被測定信号Ｓを制御部２０による信号分析可能で測定に影響を与えない最適なミキサ入力レベル（例えば、デシベル）に減衰させるためのもので、インピーダンスを変化させない電子部品である。
【００２５】
局部発振器１２は、ローカル周波数ｆＬのローカル信号を発振して、当該ローカル信号をミキサ１３へ送出するようになっている。局部発振器１２から発振されるローカル信号の周波数は、後述する操作部４０により選択される通信規格に応じて変化する。
【００２６】
ミキサ１３は、ＡＴＴ１１で減衰された周波数ｆＲの被測定信号Ｓと局部発振器１２から発振されたローカル周波数ｆＬのローカル信号とを混合（乗算）し、２つの信号の和及び差の周波数成分を含む出力信号を生成するものである。
【００２７】
ＢＰＦ１４は、ミキサ１３からの出力信号をフィルタリングして、周波数ｆＬ−ｆＲを含む所定の周波数範囲の信号成分のみを通過させるようになっている。
【００２８】
ＡＤＣ１５は、ＢＰＦ１４を通過した信号を所定のサンプリングレートでサンプリングして、ディジタルデータとしての波形データに変換するようになっている。
【００２９】
制御部２０は、例えばＣＰＵや、後述する記憶部２１を構成するＲＯＭ、ＲＡＭ、ＨＤＤなどを含むマイクロコンピュータ又はパーソナルコンピュータ等で構成され、信号分析装置１を構成する上記各部の動作を制御する。さらに、制御部２０は、記憶部２１に記憶された所定のプログラムを実行することにより、解析部２２、パラメータ設定部２３、表示制御部２４、アンドゥ処理部２５、及びリドゥ処理部２６をソフトウェア的に構成するようになっている。
【００３０】
なお、信号分析装置１は、ＧＰＩＢ、Ｅｔｈｅｒｎｅｔ（登録商標）、ＵＳＢなどのリモート制御インタフェースを介して、外部制御装置により遠隔制御される構成であってもよい。
【００３１】
記憶部２１は、信号処理部１０により生成された波形データを蓄積記憶する波形データ記憶部２１ａと、解析部２２による波形データに対する解析処理の結果（以下、「解析結果」という）を蓄積記憶する解析結果記憶部２１ｂと、ユーザによる操作部４０の操作により設定されたパラメータの設定値を蓄積記憶する設定値記憶部２１ｃと、ソフトウェア記憶部２１ｄと、を含む。
【００３２】
波形データ記憶部２１ａは、時間領域データである波形データに加えて、波形データが解析部２２により周波数領域データであるスペクトラム波形データに変換されたものを記憶してもよい。
【００３３】
ソフトウェア記憶部２１ｄは、被測定信号Ｓに対して所定の解析処理を実行するための各種の解析ソフトウェアを格納する。例えば、解析ソフトウェアには、被測定信号Ｓのスペクトラム波形を求めるスペクトラムアナライズソフトと、被測定信号Ｓの通信規格に応じて被測定信号Ｓの波形データに対して所定の解析処理を施す解析ソフト（群）が含まれている。
【００３４】
解析ソフト（群）には、被測定信号Ｓの劣化の割合を示す変調精度（ＥＶＭ）、キャリア周波数、送信電力を測定するための変調解析ソフトウェアや、スペクトログラム（Spectrogram）、累積確率分布（ＣＣＤＦ：Complementary Cumulative Distribution Function）、周波数対時間、電力対時間、位相対時間などの解析処理等をするためのソフトウェアが含まれている。さらに、解析ソフト（群）には、信号レベル（ＬＶ）、ビット誤り率（ＢＥＲ）、隣接チャネル漏洩電力（ＡＣＰ）などの解析処理等をするためのソフトウェアが含まれていてもよい。
【００３５】
スペクトラムアナライズソフトは、信号処理部１０の各構成要素１１〜１５及び解析部２２を動作させることによって、ＤＵＴ１００からの被測定信号Ｓを周波数と入力電力値（振幅レベル）とのスペクトラムとして、表示部３０の表示画面に表示させるためのアプリケーションである。
【００３６】
また、解析ソフト（群）は、信号処理部１０の各構成要素１１〜１５及び解析部２２を動作させることによって、測定信号Ｓの波形データに対して所定の解析処理を施すためのアプリケーションである。解析ソフト（群）は、操作部４０により選択される通信規格（変調システム）ごとに複数用意されている。
【００３７】
なお、従来は、ある特定の通信規格について解析を行う場合には、その通信規格の周波数帯域を含む比較的狭い周波数範囲で波形データが生成されていた。これに対して、本実施形態における信号処理部１０は、ＡＤＣ１５のサンプリングレートを最大限の値に設定することにより、各通信規格に対応した被測定信号Ｓの周波数帯域幅に対して従来よりも広い周波数帯域幅で被測定信号Ｓの波形データを生成するようになっている。
【００３８】
これにより、ある通信規格の被測定信号Ｓに対して解析を行う場合であっても、必要に応じて、当該通信規格の周波数帯域外の周波数範囲について、スペクトラムアナライズソフトや他の通信規格用の解析ソフト（群）を用いて解析を行うことが可能となる。例えば、２．４ＧＨｚ帯で無線ＬＡＮ通信に支障が生じた場合に、問題があった時点の波形データに対して、無線ＬＡＮ用以外の解析ソフトウェアを用いて無線ＬＡＮの周波数帯域外の周波数範囲について解析を行い、電波干渉の原因を特定することなどが可能になる。
【００３９】
さらに、記憶部２１は、ＤＵＴ１００の電源電圧のデータを保持してもよい。また、信号分析装置１が他の測定装置と連携している場合には、他の測定装置の電源電圧のデータを保持してもよい。このようにＤＵＴ１００や連携している複数の測定装置間で、電源電圧のデータを共有しておけば、例えば、電源電圧が不安定なことに起因して波形データに何らかの異常が観測された際に原因を容易に特定することができる。
【００４０】
表示制御部２４は、解析ソフトウェアの種類の履歴、パラメータの設定値の履歴、信号処理部１０による被測定信号Ｓの波形データの生成開始の履歴、及び、解析部２２による波形データの解析処理完了の履歴を、操作部４０により選択可能に表示部３０に一覧表示させるようになっている。また、表示制御部２４は、操作部４０により選択された履歴に応じて、記憶部２１に記憶されている波形データ及び解析結果を表示部３０に表示させるようになっている。
【００４１】
表示部３０は、例えばＬＣＤやＣＲＴなどの表示機器で構成され、表示制御部２４からの制御信号に応じて各種表示内容を表示するようになっている。さらに、表示部３０は、測定条件などを設定するためのソフトキー、プルダウンメニュー、テキストボックスなどの操作対象を表示するものであってもよい。
【００４２】
操作部４０は、表示制御部２４により表示部３０に一覧表示される上記の履歴を選択するなどの操作入力をユーザが行うためのものであり、キーボード、タッチパネル、又はマウスのような入力デバイスを含んで構成される。あるいは前述のように、操作部４０は、ボタン、ソフトキー、プルダウンメニュー、テキストボックスなどの操作対象が表示部３０に表示される構成であってもよい。
【００４３】
パラメータ設定部２３は、操作部４０により設定されるパラメータの設定値を解析部２２に順次設定するとともに、解析部２２に設定した設定値を設定値記憶部２１ｃに記憶させるようになっている。
【００４４】
解析部２２は、操作部４０により選択された解析ソフトウェアをソフトウェア記憶部２１ｄから読み出して実行する。解析部２２は、スペクトラムアナライズソフトにより被測定信号Ｓのスペクトラム波形を求めるようになっている。さらに、解析部２２は、パラメータ設定部２３により設定されたパラメータの設定値に基づいて、信号処理部１０により生成された波形データに対して、各通信規格に応じた周波数範囲で所定の解析処理を行うようになっている。
【００４５】
アンドゥ処理部２５は、操作部４０により選択された履歴に応じて、信号分析装置１の設定状態を戻すようになっている。ここで、「設定状態」とは、例えば、操作部４０によりパラメータの設定値が設定された状態、信号処理部１０により波形データの生成（取得）が開始される状態、及び、解析部２２により波形データの解析処理が完了した状態のいずれかの状態を指すものとする。
【００４６】
リドゥ処理部２６は、アンドゥ処理部２５により戻された設定状態の履歴よりも新しい履歴が操作部４０により選択された場合に、当該新しい履歴の状態に信号分析装置１の設定状態を復元するようになっている。
【００４７】
図２に、表示制御部２４の制御により、表示部３０に表示される設定状態の履歴リストの一例を示す。例えば、この履歴リストには、設定状態が変更された時刻が昇順（又は降順）になるように設定状態の履歴が表示される。
【００４８】
図２に示す履歴リストにおいては、「Time」の欄には、設定状態が変更された時刻が表示される。「System」の欄には、解析部２２による解析処理で使用される解析ソフトウェアの種類が表示される。例えば、「Spectrum」は、スペクトラムアナライズソフトを表している。また、「LTE」は、ＬＴＥ用の解析ソフト（群）を表している。
【００４９】
「Parameter」の欄には、「System」の欄に表示された解析ソフトウェアで使用されるパラメータの種類が表示される。「Value」の欄には、パラメータの設定値の変更履歴、波形データの取得履歴、解析結果の履歴などが表示される。
【００５０】
なお、図２に示すように、「Value」の欄の解析結果の履歴においては、解析ソフトウェアによる測定項目ごとにあらかじめ設けられた閾値をクリアした場合には「Pass」、クリアしなかった場合には「Fail」の表示が表示される。例えば、測定項目がＥＶＭでその閾値が０．２である場合には、解析結果が０．５であれば「Fail」、０．１であれば「Pass」が表示される。あるいは、「Value」の欄において、各測定項目の解析結果の数値が表示されてもよい。
【００５１】
「Center frequency」は、測定する周波数範囲の中心周波数を設定及び変更するためのパラメータである。「Reference level」は、リファレンスレベル（振幅スケールの上端）を設定及び変更するためのパラメータである。「Span」は、測定する周波数スパンを設定及び変更するためのパラメータである。「RBW」は、分解能帯域幅を設定及び変更するためのパラメータである。「Measure」は、波形データの取得開始（Start）と、波形データの取得完了及び波形データの解析処理完了（Complete）とを指定するためのパラメータである。
【００５２】
「Current Tab」は、解析部２２による解析処理で使用される解析ソフトウェアを設定及び変更するためのパラメータである。「Input level」は、被測定信号Ｓの電力の値を設定及び変更するためのパラメータである。「Bandwidth」は、被測定信号Ｓの帯域幅の値を設定及び変更するためのパラメータである。「Test Model」は、テストモデルを設定及び変更するためのパラメータである。
【００５３】
なお、ユーザによる操作部４０の操作に応じて、上記のような履歴リストをフィルタリングし、パラメータの設定状態の変更履歴などを省いて解析結果だけを抽出して表示部３０に表示させてもよい。この際、解析結果が得られた時刻（図２の例では「13:33:13」と「13:34:13」）で昇順（又は降順）にソートすることで、時間とともに解析結果がどのように変化したのかを容易に把握することができる。
【００５４】
以下、図３〜５を参照しながら、表示制御部２４とアンドゥ処理部２５の動作について説明する。図３に示す例では、破線で囲んで示す「Input level」に関する過去の設定状態の履歴が操作部４０により選択されている。これにより、信号分析装置１の設定状態が「Input level」が「-10 dBm」から「-20 dBm」に変更された時点での設定状態に戻り、それ以降の設定状態の変更は取り消されることとなる。
【００５５】
この状態から、例えば、「Bandwidth」が「10 MHz」から「15 MHz」に変更されると、図４（ａ）に示すように、表示制御部２４により、履歴リストの一番下に上記の「Bandwidth」の設定状態の変更履歴が追加表示される。なお、図４（ａ）の例では、「Input level」が「-10 dBm」から「-20 dBm」に変更された時点以降の設定状態が全て履歴リストに表示されたままとなっている。
【００５６】
一方、図４（ｂ）に示すように、「Input level」が「-10 dBm」から「-20 dBm」に変更された時点から、「Bandwidth」が「10 MHz」から「15 MHz」に変更された時点までに行われた設定状態の変更履歴を、表示制御部２４により表示させない構成としてもよい。すなわち、表示制御部２４は、操作部４０により選択された履歴に対応する時点での設定状態に信号分析装置１の設定状態が戻った直後に新たに設定状態の変更が行われた場合に、当該２つの設定状態の間の履歴を削除する構成であってもよい。
【００５７】
また、図５に示すように、「Measure」の「Complete」が操作部４０により選択されると、その時点で取得された波形データや解析結果を参照することができる。
【００５８】
以下、図６を参照しながら、リドゥ処理部２６の動作について説明する。図６（ａ）に示すように、「Input level」が「-10 dBm」から「-20 dBm」に変更された時刻「13:33:54」での設定状態が操作部４０により選択された後、何ら設定変更が行われなかった場合には、時刻「13:33:54」以降の任意の設定状態に信号分析装置１の状態を復元することができる。例えば、図６（ｂ）に示すように「Measure」の「Start」が操作部４０により選択された場合には、時刻「13:34:12」の時点での信号分析装置１と同一の設定状態で再測定を行うことができる。
【００５９】
以下、本実施形態の信号分析装置１を用いる信号分析方法について、図７のフローチャートを参照しながら説明する。なお、図７のフローチャートは、アンドゥ処理部２５による設定状態の戻りが起こる場合の処理の一例を示しており、実際の信号分析装置１の動作はこれに限定されない。
【００６０】
まず、制御部２０は、ユーザによる操作部４０の操作により指定された解析処理に応じた解析ソフトウェアをソフトウェア記憶部２１ｄから読み出す（ステップＳ１）。
【００６１】
次に、制御部２０は、ユーザによる操作部４０の操作により設定されたパラメータの設定値を設定値記憶部２１ｃに記憶させる。さらに、表示制御部２４は、ユーザによる操作部４０の操作により設定されたパラメータの設定値の変更履歴を表示部３０に一覧表示させる（ステップＳ２）。
【００６２】
次に、信号処理部１０は、ＤＵＴ１００から出力される被測定信号Ｓの波形データを生成する。制御部２０は、信号処理部１０により生成された波形データを波形データ記憶部２１ａに記憶させる（ステップＳ３）。
【００６３】
次に、表示制御部２４は、信号処理部１０により生成された波形データの生成（取得）開始の履歴を表示部３０に一覧表示させる（ステップＳ４）。
【００６４】
次に、解析部２２は、ステップＳ２で記憶されたパラメータの設定値に基づいて、ステップＳ１で指定された解析ソフトウェアにより、ステップＳ３で記憶された波形データに対して所定の解析処理を行う。制御部２０は、解析部２２により得られた解析結果を解析結果記憶部２１ｂに記憶させる（ステップＳ５）。
【００６５】
次に、表示制御部２４は、解析部２２による波形データの解析処理完了の履歴を表示部３０に一覧表示させる（ステップＳ６）。
【００６６】
次に、制御部２０は、ユーザによる操作部４０の操作により、いずれかの履歴が選択されたか否かを判断する（ステップＳ７）。否定判断の場合にはステップＳ８に進む。肯定判断の場合にはステップＳ９に進む。
【００６７】
ステップＳ８で、制御部２０は、ユーザによる操作部４０の操作により、新たな解析処理が指定されたか否かを判断する。肯定判断の場合にはステップＳ１に戻る。否定判断の場合にはステップＳ７に戻る。
【００６８】
ステップＳ９でアンドゥ処理部２５は、操作部４０により選択された履歴に対応する設定状態に信号分析装置１の設定状態を戻す。例えば、図３に示すように、破線で囲んで示す履歴が操作部４０により選択されると、信号分析装置１の設定状態が「Input level」が「-10 dBm」から「-20 dBm」に変更された時点での設定状態に戻り、それ以降の設定状態の変更が取り消される。
【００６９】
次に、制御部２０は、ステップＳ７で選択された履歴がステップＳ６の時点に対応しているか否かを判断する（ステップＳ１０）。肯定判断の場合にはステップＳ１１に進む。否定判断の場合には処理を終了する。
【００７０】
ステップＳ１１で表示制御部２４は、ステップＳ７で選択された履歴に応じて、記憶部２１に記憶された波形データ及び解析結果を表示部３０に表示させる。
【００７１】
以上説明したように、本実施形態の信号分析装置１は、装置の設定状態の履歴を一覧表示させる表示制御部２４と、操作部４０により選択された履歴に応じて、測定の設定状態を戻すアンドゥ処理部２５と、を備えるため、装置の設定状態のアンドゥが可能であり、波形データのキャプチャ（生成）時又は解析処理時の装置の設定状態を容易に再現することができる。このため、過去の波形データ生成時の設定で再度測定を行って得られた波形データ及び解析結果と、過去に生成した波形データ及びその解析結果との比較を行うことができる。
【００７２】
また、本実施形態の信号分析装置１は、過去に生成した波形データ及び解析結果を記憶部２１の容量が許す限り保持できるので、過去の波形データ及び解析結果を表示部３０に表示させることができる。また、本実施形態の信号分析装置１は、パラメータの設定値を変えて過去の波形データを詳細に解析したり、時間的に連続する複数の波形データを詳しく解析したりすることができる。
【００７３】
また、本実施形態の信号分析装置１は、リドゥ処理部２６を備えるため、アンドゥ処理部２５により戻された設定状態の履歴よりも新しい履歴の状態に自身の設定状態を復元することができる。
【００７４】
また、本実施形態の信号分析装置１は、被測定信号Ｓの周波数帯域幅よりも広い周波数帯域幅で波形データを生成するため、ある通信規格の被測定信号Ｓの波形データに対して、当該通信規格の周波数帯域に隣接した周波数帯域についても、スペクトラムアナライズソフトや他の通信規格用の解析ソフト（群）を用いて解析を行うことができる。つまり、複数の解析ソフトウェア間で１つの波形データを共有することができる。
【００７５】
また、本実施形態の信号分析装置１は、設定状態のアンドゥ／リドゥと、過去の波形データや解析結果の参照を一画面内の操作で実行することができる。
【符号の説明】
【００７６】
１  信号分析装置
１０  信号処理部
１１  アッテネータ（ＡＴＴ）
１２  局部発振器
１３  ミキサ
１４  バンドパスフィルタ（ＢＰＦ）
１５  アナログディジタルコンバータ（ＡＤＣ）
２０  制御部
２１  記憶部
２１ａ  波形データ記憶部
２１ｂ  解析結果記憶部
２１ｃ  設定値記憶部
２１ｄ  ソフトウェア記憶部
２２  解析部
２３  パラメータ設定部
２４  表示制御部
２５  アンドゥ処理部
２６  リドゥ処理部
３０  表示部
４０  操作部
１００  ＤＵＴ（被試験対象）
【図１】
2018004482.tif 000003
【図２】
2018004482.tif 000004
【図３】
2018004482.tif 000005
【図４】
2018004482.tif 000006
【図５】
2018004482.tif 000007
【図６】
2018004482.tif 000008
【図７】
2018004482.tif 000009